(57)【要約】【課題】ソース装置とシンク装置各々のTVシステムの切替による表示画像の乱れを抑制する「ビデオ再生システム」を提供する。【解決手段】ソース装置１は、TVシステムを切り替える場合、切替前のTVシステムによる、黒画面の動画を後尾にSECを付加して送信した上で、自身のTVシステムの切替を行う。また、切替完了後に切替後のTVシステムによる黒画面の動画を送信した上で、切替後のTVシステムのビデオコンテンツの動画の送信を開始する。シンク装置５は、受信した動画を表示するが、SECを受信した場合には、受信直前に表示していた黒画面の表示を維持する。そして、自身のTVシステムと異なるTVシステムの動画を受信したならば、自身のTVシステムの切替を行った上で、受信した動画を表示する動作に復帰する。【選択図】図１
2007324807.tif 000002
【特許請求の範囲】
【請求項１】
ソース装置と、ソース装置に伝送路を介して接続したシンク装置とを有し、ソース装置から前記シンク装置に動画を配信するビデオ再生装置であって、
前記ソース装置は、
前記シンク装置に配信すべき動画を表す動画データを、設定されたTVシステムに従って処理する動画処理手段と、
動画データを前記伝送路を介して前記シンク装置に配信する配信手段と、
前記動画処理手段のTVシステムの設定を切り替える場合に、切替前のTVシステムの表示画面の全面が黒色となる動画を表す、所定のコードを付した動画データを前記配信手段を介して前記シンク装置に配信した上で、前記動画処理手段のTVシステムの設定を切り替えると共に、当該TVシステムの設定の切替後に、切替後のTVシステムの表示画面の全面が黒色となる動画を表す動画データを前記配信手段を介して前記シンク装置に配信し、その後、前記動画処理手段が処理した動画データの前記配信手段を介した前記シンク装置への配信を開始するソースTVシステム切替制御手段とを有し、
前記シンク装置は、
表示装置と、
前記伝送路を介して、前記ソース装置から配信された動画データを、設定されたTVシステムに従って処理し、当該動画データが表す動画を前記表示装置に表示する動画表示処理手段と、
前記動画表示処理手段に設定されているTVシステムと異なる動画の動画データを受信したときに、動画表示処理手段のTVシステムの設定を、受信した動画のTVシステムに切り替えるシンクTVシステム切替制御手段とを有し、
前記動画表示処理手段は、前記コードが付された動画データが配信された場合に、前記表示装置の表示を、当該動画データが表す動画に含まれる全面が黒色の画像フレームの表示に、当該動画表示処理手段のTVシステムの設定の切替終了後における、処理すべき切替後のTVシステムの動画の動画データの発生まで維持することを特徴とするビデオ再生システム。
【請求項２】
ソース装置と、ソース装置に伝送路を介して接続したシンク装置とを有し、ソース装置から前記シンク装置に動画を配信するビデオ再生装置であって、
前記ソース装置は、
前記シンク装置に配信すべき動画を表す動画データを、設定されたTVシステムに従って処理する動画処理手段と、
動画データを前記伝送路を介して前記シンク装置に配信する配信手段と、
前記動画処理手段のTVシステムの設定を切り替える場合に、切替前のTVシステムの表示画面の全面が黒色となる動画を表す、所定のコードを付した動画データを前記配信手段を介して前記シンク装置に配信した上で、前記動画処理手段のTVシステムの設定を切り替えると共に、当該TVシステムの設定の切替後に、切替後のTVシステムの表示画面の全面が黒色となる動画を表す動画データを前記配信手段を介して前記シンク装置に配信し、その後、前記動画処理手段が処理した動画データの前記配信手段を介した前記シンク装置への配信を開始するソースTVシステム切替制御手段とを有し、
前記シンク装置は、
表示装置と、
前記伝送路を介して、前記ソース装置から配信された動画データを、設定されたTVシステムに従って処理し、当該動画データが表す動画を前記表示装置に表示する動画表示処理手段と、
前記動画表示処理手段に設定されているTVシステムと異なる動画の動画データを受信したときに、動画表示処理手段のTVシステムの設定を、受信した動画のTVシステムに切り替えるシンクTVシステム切替制御手段とを有し、
前記動画表示処理手段は、前記コードが付された動画データが配信された場合に、前記表示装置の表示を、当該動画データが表す動画に含まれる全面が黒色の画像フレームの表示に、当該動画表示処理手段のTVシステムの設定の切替開始まで維持することを特徴とするビデオ再生システム。
【請求項３】
請求項１または２記載のビデオ再生システムであって、
前記シンク装置は、
前記伝送路を介して、前記ソース装置から配信された動画データを一時格納する入力バッファと、
バッファ制御部とを備え、
前記動画表示処理手段は、前記入力バッファから前記動画データを読み出して処理し、
前記バッファ制御部は、前記動画表示処理手段のTVシステムの設定の切替中に、前記入力バッファのオーバーフローが予測された場合、前記入力バッファに一時格納されている動画データを先着順に破棄することを特徴とするビデオ再生システム。
【請求項４】
請求項１、２または３記載のビデオ再生システムであって、
前記ソース装置の動画処理手段は、前記シンク装置に配信すべき圧縮符号化された動画データを復号して、所定のビットレートの動画に再圧縮符号化する処理を行い、
前記シンク装置の動画表示処理手段は、前記ソース装置から配信された圧縮符号化された動画データから動画を復号し、前記表示装置に表示することを特徴とするビデオ再生システム。
【請求項５】
請求項４記載のビデオ再生システムであって、
前記ソース装置は、装着されたDVD-Videoディスクにアクセスするドライブ装置を有し、
前記シンク装置に配信すべき圧縮符号化された動画データは、前記ドライブ装置に装着されたDVD-Videoディスクに記録されている動画データであることを特徴とするビデオ再生システム。
【発明の詳細な説明】
【技術分野】
【０００１】
本発明は、ビデオコンテンツの再生出力を行うビデオ再生システムに関するものである。
【背景技術】
【０００２】
ビデオコンテンツの再生出力を行うビデオ再生システムとしては、DVD-Videoディスクの読み取りを行うDVDドライブを備えたソース装置と、当該ソース装置とバスやネットワークで接続した１または複数のシンク装置を備えたシステムが知られている（たとえば、特許文献１）。このシステムでは、ソース装置において、DVDドライブを介してDVD-Videoディスクから読み出した圧縮符号化されたビデオデータに対して復号、所望ビットレートの圧縮符号化ビデオデータへの再圧縮符号化を施すと共に、再圧縮符号化を施したビデオデータを各シンク装置に配信する。そして、各シンク装置において、ソース装置から配信された圧縮符号化されたビデオデータを復号し、復号したビデオを出力する。
【０００３】
また、ビデオコンテンツの再生出力を行うビデオ再生システムとしては、DVDプレイヤと、DVDプレイヤが再生したビデオを表示するモニタシステムとを備え、DVDプレイヤからＬＡＮを介してモニタシステムに、再生するビデオのPALやNTSCといったTVシステムを通知し、モニタシステムにおいて、DVDプレイヤからの通知に従って、DVDプレイヤが再生したビデオの表示出力に用いるTVシステムを切り変えるシステムも知られている。
【特許文献１】特表2002-535197号公報
【特許文献２】特開2001-359052号公報
【発明の開示】
【発明が解決しようとする課題】
【０００４】
ビデオコンテンツの再生出力を行うビデオ再生システムにおいて、再生出力するビデオのTVシステムを切り替える場合には、TVシステムの切替による表示画像の乱れを目立たなくするために、TVシステムの切替の前後の一定期間、黒画面を表示することが望ましい。
しかしながら、前記特許文献１のような圧縮符号化されたビデオデータの復号と再圧縮符号化を行うソース装置と、圧縮符号化されたビデオデータの復号、出力を行うシンク装置よりビデオ再生システムを構成する場合には、ソース装置のTVシステムの切替の他に、シンク装置のTVシステムの切替も必要となる。したがって、このようなビデオ再生システムでは、単純に、ソース装置でTVシステムの切替の前後の一定期間、黒画面を表すビデオを出力するだけでは、表示画像の乱れを目立たなくすることができない場合が生じ得る。
【０００５】
そこで、本発明は、ビデオを配信するソース装置と当該ソース装置から配信されたビデオを表示するシンク装置とを備えたビデオ再生システムにおいて、ソース装置とシンク装置各々のTVシステムの切替による表示画像の乱れを抑制することを課題とする。
【課題を解決するための手段】
【０００６】
前記課題達成のために、本発明は、ソース装置と、ソース装置に伝送路を介して接続したシンク装置とを有し、ソース装置から前記シンク装置に動画を配信するビデオ再生装置において、前記ソース装置に、前記シンク装置に配信すべき動画を、設定されたTVシステムに従って処理する動画処理手段と、前記動画処理手段が処理した動画を前記伝送路を介して前記シンク装置に配信する配信手段と、前記動画処理手段のTVシステムの設定を切り替える場合に、表示画面の全面が黒色となる、所定のコードを付した、切替前のTVシステムの動画を前記配信手段を介して前記シンク装置に配信した上で、前記動画処理手段のTVシステムの設定を切り替えると共に、当該TVシステムの設定の切替後に、表示画面の全面が黒色となる、切替後のTVシステムの動画を前記配信手段を介して前記シンク装置に配信し、その後、前記動画処理手段が処理した動画の前記配信手段を介した前記シンク装置への配信を開始するソースTVシステム切替制御手段とを備え、前記シンク装置に、表示装置と、前記伝送路を介して、前記ソース装置から配信された動画を、設定されたTVシステムに従って処理し、前記表示装置に表示する動画表示処理手段と、前記動画表示処理手段に設定されているTVシステムと異なる動画を受信したときに、動画表示処理手段のTVシステムの設定を、受信した動画のTVシステムに切り替えるシンクTVシステム切替制御手段とを備えたものである。ただし、前記動画表示処理手段は、前記コードが付された動画が配信された場合に、前記表示装置の表示を、当該動画に含まれる全面が黒色の画像フレームの表示に、当該動画表示処理手段のTVシステムの設定の切替終了後における、処理すべき切替後のTVシステムの動画の発生まで維持するものである。
【０００７】
このようなビデオ再生システムによれば、ソース装置の動画処理手段がTVシステムの設定の変更中であったことが、表示装置の表示に影響を与え得る期間の開始前から、シンク装置の動画表示処理手段がTVシステムの設定の変更中であることが、表示装置の表示に影響を与え得る期間の終了までの期間、ソース装置のソースTVシステム切替制御手段による、切替前のTVシステムの表示画面の全面が黒色となる動画の所定のコードを付した動画データの配信と、シンク装置の動画表示処理手段における当該配信された動画データが表す動画の表示と当該動画に含まれる全面が黒色の画像フレームの表示の維持によって、表示装置の表示が、切替前のTVシステムの全面黒色の画面の表示に維持される。また、この切替前のTVシステムの全面黒色の画面の表示直後の表示装置の表示は、ソース装置のソースTVシステム切替制御手段による、切替後のTVシステムの表示画面の全面が黒色となる動画の動画データの配信と、シンク装置の動画表示処理手段における当該配信された動画データが表す動画の表示によって、切替後のTVシステムの全面黒色の画面の表示となる。よって、TVシステムの切替の表示装置の表示に対する影響は、表示装置の表示の、切替前のTVシステムの全面が黒の表示画面から、切替後のTVシステムの全面が黒の表示画面への変化に際して生じるもののみとなる。したがって、本ビデオ再生システムによれば、ソース装置及びシンク装置のTVシステムの切替の影響による表示の乱れや、当該乱れが目立ってしまうことが効果的に抑制される。
【０００８】
なお、このようなビデオ再生システムは、前記シンク装置の動画表示処理手段において、前記コードが付された動画データが配信された場合に、前記表示装置の表示を、当該動画データが表す動画に含まれる全面が黒色の画像フレームの表示に、当該動画表示処理手段のTVシステムの設定の切替開始まで維持するように修正してもよい。
【０００９】
このようにしても、ソース装置の動画処理手段がTVシステムの設定の変更中であったことが、表示装置の表示に影響を与え得る期間中、シンク装置の動画表示処理手段における表示の維持によって、表示装置の表示が全面黒色の画像フレームの表示に維持される。また、シンク装置の動画表示処理手段のTVシステムの設定の切替の前後の表示装置の表示も、全面黒色の画面の表示となる。よって、このような維持を行わない場合に比べ、ソース装置及びシンク装置のTVシステムの切替の影響による表示の乱れや、当該乱れが目立ってしまうことを効果的に抑制することができる。
【００１０】
また、以上のビデオ再生システムは、前記シンク装置に、前記伝送路を介して、前記ソース装置から配信された動画データを一時格納する入力バッファと、バッファ制御部とを備え、前記動画表示処理手段において、前記入力バッファから前記動画データを読み出して処理すると共に、前記バッファ制御部において、前記動画表示処理手段のTVシステムの設定の切替中に、前記入力バッファのオーバーフローが予測された場合、前記入力バッファに一時格納されている動画データを先着順に破棄するように構成してもよい。
【００１１】
また、以上の各ビデオ再生システムにおいて、前記ソース装置の動画処理手段は、前記シンク装置に配信すべき圧縮符号化された動画データを復号して、所定のビットレートの動画に再圧縮符号化する処理を行うものであってよく、前記シンク装置の動画表示処理手段は、前記ソース装置から配信された圧縮符号化された動画データから動画を復号し、前記表示装置に表示するものであってよい。また、この場合には、前記ソース装置に、装着されたDVD-Videoディスクにアクセスするドライブ装置を設け、前記シンク装置に配信すべき圧縮符号化された動画データを、前記ドライブ装置に装着されたDVD-Videoディスクに記録されている動画データとするようにしてもよい。
【発明の効果】
【００１２】
以上のように、本発明によれば、ビデオを配信するソース装置と当該ソース装置から配信されたビデオを表示するシンク装置とを備えたビデオ再生システムにおいて、ソース装置とシンク装置各々のTVシステムの切替による表示画像の乱れを抑制することができる。
【発明を実施するための最良の形態】
【００１３】
以下、本発明の実施形態に係るビデオ再生システムについて説明する。
図１に、本実施形態に係るビデオ再生システムの構成を示す。
図示するように、ビデオ再生システムは、装着されたDVD-Videoディスク２のアクセスを行うドライブ装置３が接続されたソース装置１と、ソース装置１が接続したバス４、バス４に接続した１または複数のシンク装置５とを有している。
そして、ソース装置１は、ＰＳ分離部１１、トランスコーダ１２、トランスコーダ出力バッファ１３、ＰＳ多重化部１４、ソース側バスインタフェース１５、ソース制御部１６を有している。
また、シンク装置５は、シンク側バスインタフェース５１、シンク側ＰＳ分離部５２、入力バッファ５３、動画デコーダ５４、出力バッファ５５、表示制御部５６、表示装置５７、音声デコーダ５８、アンプ部５９、スピーカ６０を備えている。
以下、このようなビデオ再生システムにおいて行うDVD-Videoディスク２の再生出力の基本動作について説明する。
まず、ソース装置１において、ＰＳ分離部１１は、ドライブ装置３を介してDVD-Videoディスク２から読み出された、動画ストリームとサブピクチャストリームと音声ストリームとその他の制御情報がパケット多重されたMPEG-2システムのPS(Program Stream)から各ストリームを分離する。トランスコーダ１２は、ソース制御部１６の制御下で、ＰＳ分離部１１が分離した動画ストリームとサブピクチャストリームと制御情報に基づいて、表示装置５７に表示出力すべき動画を復号した上で、復号した動画を所望ビットレートの動画ストリームへ再圧縮符号化し、再圧縮符号化した動画ストリームをトランスコーダ出力バッファ１３に格納する。そして、ＰＳ多重化部１４は、トランスコーダ出力バッファ１３に格納された動画ストリームを順次読み出し、ＰＳ分離部１１が分離した音声ストリームとパケット多重したPSを再構成し、ソース側バスインタフェース１５を介して各シンク装置５に配信する。
【００１４】
一方、シンク装置５において、シンク側バスインタフェース５１によってソース装置１から配信されたPSは、シンク側ＰＳ分離部５２によって、動画ストリームと音声ストリームに分離され、分離された動画ストリームは入力バッファ５３に格納され、分離された音声ストリームは、音声デコーダ５８に出力される。そして、動画デコーダ５４は、入力バッファ５３から動画ストリームを順次読み出し、動画ストリームをデコードした動画を構成する各画像フレームを表す画像データを出力バッファ５５に格納すると共に、出力バッファ５５に格納されている各画像フレームの画像データを順次、表示制御部５６に出力することによりデコードした動画を表示装置５７に表示する。一方、音声デコーダ５８は、シンク側ＰＳ分離部５２から入力する音声ストリームをデコードし、デコードした音声データを順次アンプ部５９に出力することにより、当該音声データが表す音声をスピーカ６０に出力する。
【００１５】
以下、このようなビデオ再生システムにおけるTVシステムの切替動作について説明する。なお、TVシステムとは、PALやNTSCなどの、動画のフレーム周期や画素数の規格を指す。
ここで、本ビデオ再生システムにおけるTVシステムの切替は、ソース装置１のソース制御部１６が行う再生開始制御処理と、シンク装置５の動画デコーダ５４において行う再生出力処理によって処理される。ここで、ソース装置１のソース制御部１６において行う再生開始制御処理は、新規なDVD-Videoディスク２の再生開始時に行う処理であり、シンク装置５の動画デコーダ５４において行う再生出力処理は、シンク装置５における以上に示したような動画や音声の再生出力を行う処理である。
【００１６】
まず、ソース装置１のソース制御部１６において行う再生開始制御処理について説明する。
図２ａに、この再生開始制御処理の手順を示す。
図示するように、この処理では、まず、ソース制御部１６は、新規な再生対象DVD-Videoディスク２の発生を監視する（ステップ２０２）。ここで、たとえば、ドライブ装置３にDVD-Videoディスク２が装着されている状態においてソース装置１が起動された場合、ソース装置１が稼働している状態においてドライブ装置３にDVD-Videoディスク２が装着された場合などに、当該ドライブ装置３から、新規な再生対象DVD-Videoディスク２の発生がソース制御部１６に通知され、当該通知に基づいてソース制御部１６は、新規な再生対象DVD-Videoディスク２の発生を検知する。
【００１７】
さて、再生開始制御処理において、新規な再生対象DVD-Videoディスク２が発生したならば（ステップ２０２）、ソース制御部１６は、ドライブ装置３を介してDVD-Videoディスク２から、DVD-Videoディスク２に記録されているビデオコンテンツの管理情報を読み出して、当該DVD-Videoディスク２に記録されているビデオコンテンツが対応するTVシステムを識別する（ステップ２０４）。
【００１８】
そして、現在、トランスコーダ１２に設定されているTVシステムに、DVD-Videoディスク２に記録されているビデオコンテンツが対応しているかどうかを判定し（ステップ２０６）、対応している場合には、そのまま、ドライブ装置３を制御して、DVD-Videoディスク２に記録されているビデオコンテンツの再生、すなわち、当該ビデオコンテンツのPSの読み出しとＰＳ分離部１１への供給を開始し（ステップ２１４）、ステップ２０２に戻って、次の新規な再生対象DVD-Videoディスク２の発生を待つ。
【００１９】
一方、現在、トランスコーダ１２に設定されているTVシステムに、DVD-Videoディスク２に記録されているビデオコンテンツが対応していなければ（ステップ２０６）、まず、トランスコーダ１２に、当該トランスコーダ１２に現在設定されているTVシステムによる、表示画面全面が黒色となる黒画面の短時間の動画ストリームの生成とトランスコーダ出力バッファ１３への格納を行わせる（ステップ２０８）。また、この際トランスコーダ１２に、この黒画面の短時間の動画ストリームの後尾位置に所定のSEC（Sequence End Code)を付加させる。ここで、このステップ２０８で、トランスコーダ１２が生成する黒画面の短時間の動画ストリームが表す動画は、実際には、表示画面全面が黒色である１画像フレームのみから形成されるものであっても良い。
【００２０】
そして、トランスコーダ１２による、短時間の黒画面の動画ストリームの生成とトランスコーダ出力バッファ１３への格納が完了したならば、トランスコーダ１２に設定するTVシステムを、DVD-Videoディスク２に記録されているビデオコンテンツが対応しているTVシステムに変更する処理を行う（ステップ２１０）。なお、TVシステムを変更している期間中、トランスコーダ１２からトランスコーダ出力バッファ１３への動画ストリームの格納は行われないため、TVシステムの変更に長時間を要すると、トランスコーダ出力バッファ１３が空となってしまう場合が生じ得る。そして、このようなトランスコーダ出力バッファ１３に格納されている動画ストリームが存在しない期間、ＰＳ多重化部１４は、無意なダミーの動画ストリームをＰＳに多重化する動作を行う。
【００２１】
そして、当該TVシステムの変更が終了したならば、トランスコーダ１２に、当該トランスコーダ１２に現在設定されているTVシステム、すなわち、ステップ２１０における変更後のTVシステムによる、表示画面全面が黒色となる黒画面の所定時間長の動画ストリームの生成とトランスコーダ出力バッファ１３への格納を行わせる（ステップ２１２）。
【００２２】
そして、最後に、ドライブ装置３を制御して、DVD-Videoディスク２に記録されているビデオコンテンツの再生、すなわち、当該ビデオコンテンツのPSの読み出しとＰＳ分離部１１への供給を開始し（ステップ２１４）、ステップ２０２に戻って、次の新規な再生対象DVD-Videoディスク２の発生を待つ。
【００２３】
以上、ソース装置１のトランスコーダ１２において行う再生開始制御処理について説明した。
なお、ソース制御部１６は、ソース装置１が起動されたならば、以降、以上の再生開始制御処理のステップ２０２において新規な再生対象DVD-Videoディスク２の発生が検出されるまで、トランスコーダ１２に、設定されているTVシステムによる、所定の初期画面を表す動画ストリームの生成とトランスコーダ出力バッファ１３への格納を行わせる処理も行う。また、ソース装置１が稼働している状態においてドライブ装置３にDVD-Videoディスク２が装着されていない状態が発生した場合にも、同様に、以降、以上の再生開始制御処理のステップ２０２において新規な再生対象DVD-Videoディスク２の発生が検出されるまで、トランスコーダ１２に、設定されているTVシステムによる、所定の初期画面を表す動画ストリームの生成とトランスコーダ出力バッファ１３への格納を行わせる処理を行う。
【００２４】
次に、シンク装置５の動画デコーダ５４において行う再生出力処理について説明する。
図２ｂに、この再生出力処理の手順を示す。
図示するように、この再生出力処理では、まず、入力バッファ５３に格納されている動画ストリームを順次読み出してデコードし、動画ストリームをデコードした動画を構成する各画像フレームを表す画像データを出力バッファ５５に格納すると共に、出力バッファ５５に格納されている各画像フレームの画像データを順次を読み出して、表示装置５７への表示のために表示制御部５６に出力する処理を開始する（ステップ２５２）。
【００２５】
そして、入力バッファ５３から読み出した動画ストリーム中に前述したSECが出現するのを監視し（ステップ２５４）、SECが出現したならば、入力バッファ５３に格納されている動画ストリームの読み出し、及び、読み出した動画ストリームのデコードおよび出力バッファ５５への格納を停止する。また、動画ストリームのSEC以前のデータ部分から最後にデコードされて出力バッファ５５に格納された画像フレームを表す画像データを、繰り返し出力バッファ５５から読み出して表示制御部５６に出力することにより、表示装置５７の表示を、SEC以前のデータ部分から最後にデコードされた画像フレームの表示に維持する処理を開始する（ステップ２５６）。
【００２６】
また、次に、シンク側ＰＳ分離部５２が分離した動画ストリームのTVシステムの、動画デコーダ５４に現在設定されているTVシステムと異なるTVシステムへの変化を、シンク側ＰＳ分離部５２の出力に基づいて監視する（ステップ２５８）。
ここで、動画デコーダ５４における、シンク側ＰＳ分離部５２が分離した動画ストリームのTVシステムの識別は、たとえば、ソース装置１のトランスコーダ１２において、TVシステム変更後に動画ストリームの生成を開始する際に、当該生成する動画ストリームの先頭に、当該動画ストリームのTVシステムの識別情報を付加し、シンク装置５の動画デコーダ５４において、当該識別情報よりシンク側ＰＳ分離部５２が分離した動画ストリームのTVシステムを検知することなどにより行うことができる。
【００２７】
そして、シンク側ＰＳ分離部５２が分離した動画ストリームのTVシステムの、動画デコーダ５４に現在設定されているTVシステムと異なるTVシステムへの変化が発生したならば（ステップ２５８）、入力バッファ５３に格納されている、動画デコーダ５４に現在設定されているTVシステムの動画ストリームのデータを破棄する（ステップ２６０）。また、動画デコーダ５４は、自身に設定するTVシステムを、ステップ２５８で現在設定されているTVシステムと異なることを検出した、動画ストリームのTVシステムに変更する処理を行う（ステップ２６２）。また、このTVシステムの変更の処理期間中、動画デコーダ５４は、入力バッファ５３のオーバーフローを監視し、オーバーフローの発生が予測されるようになったならば、入力バッファ５３に格納されている動画ストリームを、先着順に破棄する処理も行う。なお、この破棄は、ソース装置１からシンク装置５に配信する動画ストリームをMPEG方式で圧縮符号化した動画データのストリームとする場合には、GOPを単位として行うようにする。なお、ここで破棄されるGOPは、再生開始制御処理のステップ２１２におけるソース制御部１６の指示に応答して、ソース装置１のトランスコーダ１２が生成を開始する黒画面の動画ストリームのGOPとなる。そこで、ソース装置１のトランスコーダ１２は、このようにして破棄される、個々のGOPに対応する再生時間が最小となるように、この黒画面の動画ストリームをIピクチャのみの動画ストリームであって、各GOPが単一のIピクチャによって形成される動画ストリームとして生成するようにしてもよい。
【００２８】
さて、動画デコーダ５４のTVシステムの変更が終了したならば、入力バッファ５３に蓄積されている動画ストリームが所定のデータ量以上となるのを待ち（ステップ２６４）、入力バッファ５３に蓄積されている動画ストリームが所定のデータ量以上となったならば、ステップ２５２に戻って、入力バッファ５３に格納されている動画ストリームを順次読み出してデコードし、動画ストリームをデコードした動画を構成する各画像フレームを表す画像データを出力バッファ５５に格納すると共に、出力バッファ５５に格納されている各画像フレームの画像データを順次読み出して、表示装置５７への表示のために表示制御部５６に出力する処理を再開する。
【００２９】
以上、シンク装置５の動画デコーダ５４において行う再生出力処理について説明した。
ここで、図３に、以上のような再生開始時制御処理と再生出力処理によるTVシステム切替の動作例を示す。
図示するように、ソース装置１のトランスコーダ１２とシンク装置５の動画デコーダ５４の双方にTVシステム＃１が設定されている場合、初期状態（ソース装置１の起動直後や再生すべきDVD-Videoディスク２が存在しない状態）において、ａ２に示すように、ソース装置１のトランスコーダ１２はTVシステム＃１の所定の初期画面を表す動画ストリームを出力している状態にあり（Ｓ２１）、ｂ１に示すように、シンク装置５の動画デコーダ５４は、ソース装置１から受信したTVシステム＃１の動画ストリームをデコードし出力している状態（Ｓ３１）にある。
【００３０】
したがって、この初期状態では、TVシステム＃１の所定の初期画面がソース装置１からシンク装置５に送信される。また、ｂ２に示すように、シンク装置５においてTVシステム＃１の所定の初期画面が動画デコーダ５４からデコードされて出力され（Ｓ４１）、シンク装置５の表示装置５７に表示される。
【００３１】
次に、この状態において、新規に再生対象となったDVD-Videoディスク２が発生すると（Ｓ１）、ａ１に示すように、ソース装置１のソース制御部１６は、このDVD-Videoディスク２のビデオコンテンツのTVシステムを識別する（Ｓ１１）。そして、ここで、識別したTVシステムがトランスコーダ１２に現在設定されているTVシステム＃１と異なるTVシステム＃２である場合、ソース制御部１６は、後尾にSECを付加した短時間の黒画面の動画ストリームの出力をトランスコーダ１２に指示し（Ｓ１２）、トランスコーダ１２は指示に応じて、ａ２に示すようにTVシステム＃１の短時間の黒画面の後尾にSECを付加した動画ストリームを生成出力する（Ｓ２２）。そして、ａ１に示すように、トランスコーダ１２が黒画面の動画ストリームの出力を完了したならば、ソース制御部１６はトランスコーダ１２にTVシステムのTVシステム＃２への切替を指示し（Ｓ１３）、トランスコーダ１２は指示に応じて、ａ２に示すように、動画ストリームの出力を停止し、自身のTVシステムをTVシステム＃２に切り替える（Ｓ２３）。なお、このトランスコーダ１２のTVシステムの切替処理中、前述のようにダミー動画の動画ストリームがソース装置１からシンク装置５に送信される場合がある。
【００３２】
そして、トランスコーダ１２のTVシステムの切替が完了したならば、ａ１に示すように、ソース制御部１６は、所定時間長の黒画面の動画ストリームの出力をトランスコーダ１２に指示し（Ｓ１４）、トランスコーダ１２は指示に応じて、ａ２に示すように、TVシステム＃２の所定時間長の黒画面の動画ストリームを生成出力する（Ｓ２４）。そして、トランスコーダ１２が黒画面の動画ストリームの出力を完了したならば、ソース制御部１６は、ａ１に示すように、DVD-Videoディスク２のビデオコンテンツのPSの読み出しを開始することによりDVD-Videoディスク２のビデオコンテンツの再生を開始し（Ｓ１５）、トランスコーダ１２は、ａ２に示すように、DVD-Videoディスク２から読み出されたビデオコンテンツのPSよりビデオコンテンツの再生画面を表すTVシステム＃２の動画を復号すると共に、復号した動画を再圧縮符号化したTVシステム＃２の動画ストリームを出力する（Ｓ２５）。
【００３３】
この結果、初期状態でTVシステム＃１の初期画面の動画ストリームに引き続いて、ソース装置１より送信されシンク装置５で受信される動画ストリームは、TVシステム＃１の後尾にSECが付加された黒画面の動画ストリーム（-ダミー動画の動画ストリーム）-TVシステム＃２の黒画面の動画ストリーム-TVシステム＃２のDVD-Videoディスク２のビデオコンテンツの再生画面の動画ストリームと変化していく。
【００３４】
さて、シンク装置５において、前述のように初期状態においてTVシステム＃１の初期画面を出力していた動画デコーダ５４は、ｂ１に示すように、SEC（Ｓ２２１）が後尾に付加された動画ストリームをデコード、出力するまで、ソース装置１から受信したTVシステム＃１の動画ストリームをデコードし出力する状態（Ｓ３１）を維持するので、ｂ２に示すように、シンク装置５の動画デコーダ５４からは、TVシステム＃１の初期画面（Ｓ４１）に引き続いて、TVシステム＃１の黒画面（Ｓ４２）が出力されることになる。また、ｂ１に示すように、シンク装置５の動画デコーダ５４は、SEC（Ｓ２２１）が後尾に付加された動画ストリームをデコード、出力した後は、直前の出力画面の出力を維持する状態となる（Ｓ３２）。したがって、ｂ２に示すように、シンク装置５の動画デコーダ５４からのTVシステム＃１の黒画面（Ｓ４２）の出力は、黒画面の動画ストリームのデコード及び出力を完了した後も、そのまま継続されることになる。
【００３５】
次に、シンク装置５の動画デコーダ５４は、ｂ１に示すように、自身の現在のTVシステムと異なるTVシステム＃２の黒画面の動画ストリームを、シンク装置５が受信すると、自身のTVシステムをTVシステム＃２に切り替える（Ｓ３２１）、そして切替が完了し、かつ、入力バッファ５３に所定量のTVシステム＃２の動画ストリームが蓄積されている状態となったならば、ソース装置１から受信したTVシステム＃２の動画ストリームをデコードし出力する状態（Ｓ３３）に遷移する。この結果、動画デコーダ５４の出力は、ｂ２に示すように、TVシステム＃１の黒画面（Ｓ４２）の出力から、TVシステム＃２の黒画面（Ｓ４３）の出力-TVシステム＃２の動画ストリームが表すDVD-Videoディスク２のビデオコンテンツの再生画面（Ｓ４４）と、変化していくことになる。
【００３６】
結果、シンク装置５の表示は、TVシステム＃１の初期画面-TVシステム＃１の黒画面-TVシステム＃２の黒画面-TVシステム＃２のDVD-Videoディスク２のビデオコンテンツの再生画面と順次切り替わっていくことになる。したがって、TVシステムの切替の影響は、TVシステム＃１の黒画面からTVシステム＃２の黒画面の表示切り替えの箇所でしか生じない。そして、この切り替え時間が短時間であり、また、その前後が黒画面の表示あることより、TVシステムの切替の影響による表示の乱れは充分に小さく抑制されることになる。
【００３７】
以上、本発明の実施形態について説明した。
なお、以上の実施形態では、シンク装置５において、後尾にSECが付加された黒画面の出力を、動画デコーダ５４においてTVシステムの切替が完了し切替後のTVシステムの動画ストリームのデコード及び出力が開始されるまで維持するようにしたが、動画デコーダ５４のTVシステムの切替中にそのような維持を行えないものとしてシンク装置５を構成した場合には、後尾にSECが付加された黒画面の出力は、動画デコーダ５４のTVシステムの切替を開始するまでのみ維持するものとするようにしてもよい。このようにしても、ソース装置１のトランスコーダ１２のTVシステムの変更の影響による表示画面の乱れは、この黒画面の維持によりマスクすることができるので、このような維持を行わない場合に比べ、TVシステムの切替の影響による表示の乱れを小さく抑制することができる。
【００３８】
また、以上の実施形態では、DVD-Videoディスク２に記録されたビデオコンテンツを読み出してソース装置１からシンク装置５に配信するビデオ再生システムへの適用について示したが、本実施形態に係るTVシステム切替の技術は、ソース装置１にTV受信機を備え受信機で受信したビデオコンテンツをソース装置１からシンク装置５に配信するビデオ再生システムなど、複数種類のTVシステムのビデオコンテンツを取り扱う任意のビデオ再生システムに同様に適用することができる。
【図面の簡単な説明】
【００３９】
【図１】本発明の実施形態に係るビデオ再生システムの構成を示すブロック図である。
【図２】本発明の実施形態に係るビデオ再生システムにおいて行う再生開始制御処理と再生出力処理を示すフローチャートである。
【図３】本発明の実施形態に係るビデオ再生システムの動作例を示す図である。
【符号の説明】
【００４０】
１…ソース装置、２…DVD-Videoディスク、３…ドライブ装置、４…バス、５…シンク装置、１１…ＰＳ分離部、１２…トランスコーダ、１３…トランスコーダ出力バッファ、１４…ＰＳ多重化部、１５…ソース側バスインタフェース、１６…ソース制御部、５１…シンク側バスインタフェース、５２…シンク側ＰＳ分離部、５３…入力バッファ、５４…動画デコーダ、５５…出力バッファ、５６…表示制御部、５７…表示装置、５８…音声デコーダ、５９…アンプ部、６０…スピーカ。
【図１】
2007324807.tif 000003
【図２】
2007324807.tif 000004
【図３】
2007324807.tif 000005